(57)【要約】      （修正有）【課題】壁部に設けられる目盛りを識別し易くし、また、薬液の視認性を良好にし、液面の位置を見易くするとともに、薬液内に異物が存在しないことを容易に確認できる容器を提供する。【解決手段】目盛り付き容器１０は、薬液等を充填可能な空間を画成し、可視光を透過可能な壁部を有する。目盛り付き容器１０は、壁部の一部を膨出または陥没することにより形成された目盛り列１６ａ、１６ｂを有し、目盛り列１６ａ、１６ｂを形成する目盛り１８ａ、１８ｂの表面に微細な凹凸が設けられている。【選択図】図１
0003187609.tif 000002
【実用新案登録請求の範囲】
【請求項１】
薬液等を充填可能な空間を画成し、可視光を透過可能な壁部を有する容器であって、
前記壁部の一部を膨出または陥没することにより形成された目盛り列を有し、
前記目盛り列を形成する目盛りの表面に微細な凹凸が設けられていることを特徴とする容器。
【請求項２】
請求項１記載の容器において、前記微細な凹凸は、十点平均粗さＲｚが５μｍ以上であることを特徴とする容器。
【請求項３】
請求項１記載の容器において、前記微細な凹凸は、幾何学柄であることを特徴とする容器。
【請求項４】
請求項３記載の容器において、前記幾何学柄は、鱗状または格子状であることを特徴とする容器。
【請求項５】
請求項１または２記載の容器において、前記微細な凹凸は、エッチングまたはブラスト加工により形成されたものであることを特徴とする容器。
【請求項６】
請求項１ないし５のいずれかに記載の容器において、前記壁部の可視光透過率が９０％以上であることを特徴とする容器。
【請求項７】
請求項１ないし６のいずれかに記載の容器において、前記壁部の厚みが、０．１〜０．５ｍｍであることを特徴とする容器。
【請求項８】
請求項１ないし７のいずれかに記載の容器において、前記目盛り列は、縦方向長さまたは横方向長さが異なる複数の長方形状の目盛りから形成されることを特徴とする容器。
【請求項９】
請求項１ないし８のいずれかに記載の容器において、少なくとも一つの隣接する前記目盛り同士の間隔が、他の隣接する前記目盛り同士の間隔と異なることを特徴とする容器。
【考案の詳細な説明】
【技術分野】
【０００１】
本考案は、輸液や薬液等（以下、薬液等という場合がある）を収納して懸吊開成することにより所定時間内に当該薬液等を患者等に供給するための容器に関する。
【背景技術】
【０００２】
患者に対して薬液等を供給するためにスタンドに懸吊して使用に供する可撓性容器が広汎に用いられている。この種の容器は、製造の容易性、低コストであること、取扱いが簡便である等の理由により、プラスチック製であり且つ内部を視認可能とすべく透明や半透明の光透過性の材質のもので構成されている。
【０００３】
例えば、特許文献１には、治療に際して必要な体液や栄養分、あるいは薬剤等の輸液や薬液を充填した吊下げ可能なボトルが開示されている。このボトルは、ポリプロピレン、ポリエチレン、ポリエチレンテレフタレート等の熱可塑性樹脂を延伸ブローにより成形したもので、その胴部の側面に輸液や薬液の分量を示す目盛りが施されている。
【０００４】
また、特許文献２には、注腸造影法に用いる造影剤の容器が開示されている。この造影剤容器は、半剛直なプラスチック壁で構成され、水を注入して造影剤原液を所望の濃度に希釈する際に、希釈水を計量カップで計量する必要をなくすため、容器の側面に目盛りが設けられている。
【０００５】
ところで、目盛りを備えた容器に薬液等を充填してこれを使用する場合、薬液等の残量を外部から容易に確認できるように、目盛りと液面の視認性を良好にする必要がある。また、薬液等内に異物が存在しないことを外部から容易に確認できるようにすることも必要である。特に、容器の外面の一部を隆起または陥没させることによって目盛りを形成する場合、当該容器の透明性を高くすると、容器の外面を隆起または陥没させて目盛りを形成してもその陰影が生じにくいため、当該目盛りの存在や位置が分かりにくいという問題がある。
【先行技術文献】
【特許文献】
【０００６】
【特許文献１】特開２００２−１４５２７２号公報
【特許文献２】特許第３５５９９６６号公報
【考案の概要】
【考案が解決しようとする課題】
【０００７】
本考案は、上記した課題を解決するためになされたもので、可視光を透過可能な容器の壁部の一部を膨出または陥没させることによって目盛りを形成するものにおいて、当該目盛りを外部から容易に識別することができ、しかも容器内に収納されている薬液等の液面の位置や量を見易くするとともに、薬液等内に異物が存在するか否かを簡易に確認できる目盛り付き容器を提供することを目的とする。
【課題を解決するための手段】
【０００８】
前記の目的を達成するために、本考案は、薬液等を充填可能な空間を画成し、可視光を透過可能な壁部を有する容器であって、前記壁部の一部を膨出または陥没することにより形成された目盛り列を有し、前記目盛り列を形成する目盛りの表面に微細な凹凸が設けられていることを特徴とする。
【０００９】
容器の壁部のうち、目盛りの表面には微細な凹凸が設けられるため、目盛りが形成されていない部分に比べて透明性が低く、そのコントラストにより、目盛りの視認性が良好になる。
【００１０】
また、容器の壁部は、目盛りが形成された部分を除く広い領域で可視光を透過可能であるから、内部に充填された薬液等の視認性が良好である。このため、薬液等の液面の位置を外部から容易に確認できるとともに、薬液等内に異物が存在しないことを外部から容易に確認できる。
【００１１】
上記微細な凹凸は、十点平均粗さＲｚが５μｍ以上であることが好ましい。
【００１２】
微細な凹凸の十点平均粗さＲｚを５μｍ以上とすることで、目盛りが形成されていない部分に対して、目盛りが形成された部分の透明性を十分に低くすることができ、目盛りの視認性を十分に確保することができる。
【００１３】
また、上記微細な凹凸は、幾何学柄であることが好ましく、この場合、幾何学柄を鱗状または格子状とすると良い。
【００１４】
微細な凹凸を鱗状、格子状等の幾何学柄とすることで、目盛りの視認性を一層良好にすることができる。
【００１５】
さらに、上記微細な凹凸は、エッチングまたはブラスト加工により形成されたものが好ましい。
【００１６】
微細な凹凸をエッチングまたはブラスト加工により形成することにより、目盛りの視認性を十分に確保することができる。
【００１７】
さらにまた、上記容器の壁部の可視光透過率が９０％以上であることが好ましい。
【００１８】
容器の壁部の可視光透過率が９０％以上であれば、目盛りが形成された部分を除く容器の壁部の透明性が十分に高いものとなり、内部に充填された薬液の視認性が良好になる。
【００１９】
また、上記容器の壁部の厚みが０．１〜０．５ｍｍであることが好ましい。
【００２０】
容器の壁部の厚みが０．１ｍｍより小さ過ぎると、必要な強度や保形性が得られにくい。一方、容器の壁部の厚みが０．５ｍｍより大き過ぎると、材料の節約や軽量化を図ることができない。
【００２１】
また、上記目盛り列は、縦方向長さまたは横方向長さが異なる複数の長方形状の目盛りから形成されることが好ましい。
【００２２】
目盛り列を、縦方向長さまたは横方向長さが異なる複数の長方形状の目盛りを組み合わせて形成すれば、目盛りの種類に応じて薬液の残存量をより一層確認し易くなる。
【００２３】
さらに、少なくとも一つの隣接する目盛り同士の間隔が、他の隣接する目盛り同士の間隔と異なるものとすることも好ましい。
【００２４】
隣接する目盛り同士の間隔は、薬液等が容器に充填されたときの容器の形状に応じて決めることが好ましいからである。
【考案の効果】
【００２５】
本考案によれば、薬液等を収納する容器の壁部に設けられた目盛りの視認性が良好であり、且つ、当該容器内部に収納された薬液等の液面や残存量が確実に視認でき、薬液等内に異物が存在しないことを外部から容易に確認できる。
【図面の簡単な説明】
【００２６】
【図１】本考案の一実施形態に係る容器の正面図である。
【図２】図１において参照符合Ａで示される壁部の拡大縦断面図である。
【図３】図１において参照符合Ａで示される部分の内部に所定量の薬液が存在するときの拡大部分正面図である。
【考案を実施するための形態】
【００２７】
以下、本考案に係る目盛り付き容器について好適な実施形態を挙げ、添付の図面を参照して詳細に説明する。
【００２８】
図１に示すように、本実施形態に係る目盛り付き容器１０は、好適には可撓性のプラスチック材料で形成され、薬液等を収納するための充填空間が形成される壁部を有する袋状の本体部１２と、前記本体部１２の一方の端部に設けられる口部１４と、他方の端部に設けられる吊り部１５とからなる。
【００２９】
図１に示すように、前記本体部１２の壁部の一方の側縁近傍に目盛り列１６ａが縦方向に膨出形成され、同様に、該本体部１２の壁部の他方の側縁近傍に目盛り列１６ｂが膨出形成される。
【００３０】
図１と図２から容易に諒解されるように、各目盛り列１６ａ、１６ｂは、縦方向において幅の異なる長方形状の複数の第１の膨出目盛り１８ａと複数の第２の膨出目盛り１８ｂとからなる。第１の膨出目盛り１８ａの縦方向長さは、隣接する第２の膨出目盛り１８ｂより大であり、第１の膨出目盛り１８ａと第２の膨出目盛り１８ｂとは、交互に本体部１２の側縁、すなわち側部端部に沿って、図において縦方向に配設される。この場合、第１の膨出目盛り１８ａと第２の膨出目盛り１８ｂの縦方向長さを同一にする一方、横方向長さに差異を設けても良いことは勿論である。
【００３１】
各目盛り列１６ａ、１６ｂにおいて、互いに隣接する膨出目盛り１８ａと１８ｂの間隔は必ずしも等しくない。例えば、図１において、本体部１２の下部側の第１の膨出目盛り１８ａと第２の膨出目盛り１８ｂの間隔Ｄ1は、中程の第１の膨出目盛り１８ａと第２の膨出目盛り１８ｂの間隔Ｄ2よりも大である。本体部１２の縦断面と横断面の形状が部位によって異なり、その結果、各部位における薬剤等の収納容積が異なることのないようにするためである。例えば、前記Ｄ1の部位の内部容積とＤ2の部位の内部容積とは略同じである。
【００３２】
ここで、一つの第１の膨出目盛り１８ａと次なる第１の膨出目盛り１８ａの間隔間の容積を１００ｍｌとし、第１の膨出目盛り１８ａと隣接する第２の膨出目盛り１８ｂの間隔間の容積を５０ｍｌとするのも好ましい態様である。簡易に薬液等の残存量を視認できるからである。
【００３３】
この場合、前記膨出目盛り１８ａ、１８ｂの外側表面、すなわち、膨出目盛り１８ａ、１８ｂの膨出表面は、エッチングやブラスト等の表面処理部２０として構成される。エッチングの場合には、鱗状幾何学模様や格子状幾何学模様が好ましい。目盛り列１６ａ、１６ｂに対する視認性に優れるからである。
【００３４】
実際、エッチングの場合には、個々の容器１０に対してのエッチング処理とは異なり、成形用金型のキャビティ内壁面にエッチング処理により鱗状や格子状の幾何学模様を付しておくものとする。容器１０をブロー成形等する際の工程中に鱗状や格子状の幾何学模様が転写されるからである。
【００３５】
ブラストの場合も同様に、金型のキャビティ内壁面にサンドブラスト処理を施しておけば、容器１０の成形時にサンドブラスト模様が成形品としての容器１０に転写されることになる。実験によれば、目盛り視認性に優れる範囲は、ブラストを形成するための砂の大きさを♯４００〜６００に選択すれば良いことが確認された。
【００３６】
上記表面処理部２０には、微細な凹凸が一様に設けられることになり、膨出目盛り１８ａ、１８ｂは、全体に白っぽく見える。この微細な凹凸は、十点平均粗さＲｚが５μｍ以上とすれば、視認性が十分に確保される。
【００３７】
本体部１２は、目盛り列１６ａ、１６ｂが形成された部分を除いて全体が透明または半透明である。ここで透明とは、好適には、波長４５０ｎｍの可視光で測定した場合の光の透過率が９０％以上のものであることが好ましい。薬液等の液面や量が視認し易いからである。なお、本体部１２の壁部の厚みは、０．１ｍｍから０．５ｍｍまでの範囲で選択するのが好ましい。当該厚みが０．１ｍｍ未満であると破損し易く、また、保形性が維持できない。一方、０．５ｍｍより大であると、材料を多く使用し、製造コストが高くなり、また軽量化も図れないからである。
【００３８】
本実施形態に係る目盛り付き容器は、基本的には以上のように構成されるものであり、次に、その作用及び効果を説明する。
【００３９】
使用に先立って、容器１０の本体部１２には口部１４を介して、例えば薬液３０が充填され、当該口部１４は封止される。使用に際しては、容器１０は、吊り部１５を上方にして図示しないスタンドに吊り下げた状態で係止する。次いで、口部１４に接続された図示しない供給装置を介して、薬液３０が治療を受ける患者等に供給される。
【００４０】
このとき、膨出目盛り１８ａ、１８ｂは、エッチングやブラスト処理により、その周囲の透明度が高い本体部１２に比べて透明性が低く、白っぽく見えるため、膨出目盛り１８ａ、１８ｂと本体部１２の内部に収納された薬液３０の液面を容易に確認できる。
【００４１】
すなわち、薬液３０が充填された容器１０を取り扱う者は、図３に示すように、薬液３０の液面３２と膨出目盛り１８ａ、１８ｂとの位置関係を容易に把握して、薬液３０の残量を確認することができるとともに、薬液３０内に異物が存在するか否かも容易に視認することができる。
【００４２】
本考案は、上記した実施形態に特に限定されるものではなく、本考案の要旨を逸脱しない範囲で種々の変更が可能である。
【００４３】
例えば、膨出目盛りは、本体部の壁部を内方に陥没させることにより形成しても良い。また、本体部の壁部には、目盛りが示す薬液量に対応する数字を記載したラベルであって、液面の視認性を損なわない程度の大きさのものを貼付しても良い（図１の本体部中央の破線部位参照）。
【符号の説明】
【００４４】
１０…目盛り付き容器                    １２…本体部
１４…口部                              １５…吊り部
１６ａ、１６ｂ…目盛り列                １８ａ…第１の膨出目盛り
１８ｂ…第２の膨出目盛り                ２０…表面処理部
３０…薬液                              ３２…液面
【図１】
0003187609.tif 000003
【図２】
0003187609.tif 000004
【図３】
0003187609.tif 000005